(57)【要約】      （修正有）【課題】使用者の必要に応じて通常用と健康指向用とに分けて装着することが可能な眼鏡を提供する。【解決手段】レンズを取り付けた左右のレンズフレームと、レンズフレームに連結され、耳宛部を有するサイドフレームと、レンズフレームに設けられる鼻当て部１０と、磁石体１２に取り付けられ、磁石体１２を鼻当て部１０に着脱可能に引っ掛けるフック体１１を備える。【選択図】図２
0003161871.tif 000002
【実用新案登録請求の範囲】
【請求項１】
レンズをそれぞれ取り付けた左右のレンズフレームと、
前記左右のレンズフレームにそれぞれ連結され、末端部に耳宛部を設けたサイドフレームと、
前記左右のレンズフレームのうち互いに近接する部分に設けられ、装着時に使用者の鼻梁部に宛てがわれる鼻当て部と、
磁石体に取り付けられ、前記磁石体を前記鼻当て部に着脱可能に引っ掛けるフック体とを備えて成る眼鏡。
【請求項２】
前記鼻当て部は合成樹脂により細爪状に形成され、弾性体製の金属短線を介して前記レンズフレームに取り付けられており、前記磁石体は前記鼻当て部に対応する薄辺チップ状に形成されていることを特徴とする請求項１に記載の眼鏡。
【請求項３】
前記フック体は、逆Ｌ字状に形成された一対のピンを有するクリップであることを特徴とする請求項１に記載の眼鏡。
【請求項４】
前記金属短線と前記鼻当て部とは、取付部により連結されており、前記フック体は逆Ｕ字状に曲成されたピンを有するクリップであり、前記取付部寄りの前記金属短線に対して係脱可能となるように設けられていることを特徴とする請求項２に記載の眼鏡。
【請求項５】
前記フック体は、蛇行状に曲成された弾性体からなり、一端部を前記磁石に取り付け、他端部を前記鼻当て部に着脱可能に引っ掛けるようにしていることを特徴とする請求項１に記載の眼鏡。
【請求項６】
レンズをそれぞれ取り付けた左右のレンズフレームと、
前記左右のレンズフレームにそれぞれ連結され、末端部に耳宛部を設けたサイドフレームと、
前記左右のレンズフレームのうち互いに近接する部分に設けられ、装着時に使用者の鼻梁部に宛てがわれる鼻当て部と、
鼻当て部に設けられた底付き小穴の底部に装着した磁性紙と、
前記底付き小穴の磁性紙に、前記鼻当て部の表面と面一となる状態で着脱可能に吸着される磁石辺とを備えて成る眼鏡。
【請求項７】
レンズをそれぞれ取り付けた左右のレンズフレームと、
前記左右のレンズフレームにそれぞれ連結され、末端部に耳宛部を設けたサイドフレームと、
前記左右のレンズフレームのうち互いに近接する部分に設けられ、装着時に使用者の鼻梁部に宛てがわれる鼻当て部と、
貫通状態の小穴を有する中敷き辺と、
前記小穴に磁性紙を宛てがった状態で、前記鼻当て部に取り付けられた中敷き辺と、
前記小穴の磁性紙に、前記鼻当て部の表面と面一となる状態で着脱可能に吸着される磁石辺とを備えて成る眼鏡。
【考案の詳細な説明】
【技術分野】
【０００１】
本考案は、磁力線による効能を活用するために磁石体を用いる眼鏡に係り、とりわけ磁石体を着脱可能に設けて、必要な時には磁石体を取り付け、不要な時には磁石体を取り外して装着できるように改良した眼鏡に関する。
【背景技術】
【０００２】
磁石を取り付けて疾患部への治癒力を改善して健康増進作用を図った眼鏡としては、例えば特許文献１に記載された健康メガネがある。また、磁石を用いて眼鏡にサブレンズを組み合わせる構造としては、例えば特許文献２に記載されたものが知られている。
【０００３】
特許文献１は、レンズフレーム、耳当て部および端当て部に磁石粒および特殊波動微粉末素子を一体化することにより、磁力線の効能・効果を生かして心身の健康改善・健康回復を図っている。
特許文献２は、サブレンズ側の鼻当て部に磁性部材を有する接続部を形成し、眼鏡側の鼻当て部に磁石を有する接続部材を設けている。サブレンズの使用時には、接続部の磁性部材を接続部材の磁石に引き付けることにより、サブレンズを眼鏡に重ねるように組み合わせている。
【先行技術文献】
【特許文献】
【０００４】
【特許文献１】特開２００８−１２２３９号公報
【特許文献２】実用新案登録第３１３０２９４号公報
【考案の概要】
【考案が解決しようとする課題】
【０００５】
しかしながら、特許文献１の健康メガネでは、磁石粒と特殊波動微粉末素子とを一体化する加工工程が複雑でコスト高になる一方、健康を目指す専用の眼鏡となり、磁石粒を用いない通常の眼鏡として兼用することができない不都合がある。
特許文献２の眼鏡では、サブレンズを取り外しておけば、通常の眼鏡としても使用できるものの、常には接続部材の磁石を眼鏡側に取り付けた構造となっている。このため、接続部材や磁石により全体が嵩張るとともに、その分だけ重くなって眼鏡の着け心地が悪くなる虞がある。
【０００６】
本考案は、上記の事情を背景としてなされ、その目的は使用者の必要に応じて通常用と健康指向用とに分けて装着でき、通常用として装着した場合には、軽量であって初期の良好な着け心地が得られ、健康指向用として着用した場合には、磁石体の磁力線により鼻梁部の疾患に対する治癒性の向上をはじめ、鼻梁部の健康改善や健康回復に役立つ実用的な眼鏡を提供することにある。
【課題を解決するための手段】
【０００７】
（請求項１について）
レンズフレームには、レンズをそれぞれ取り付けている。サイドフレームは、左右のレンズフレームにそれぞれ連結されており、サイドフレームの末端部に耳宛部が設けられている。左右のレンズフレームのうち互いに近接する部分には、装着時に使用者の鼻梁部に宛てがわれる鼻当て部を設けている。フック体は磁石体に取り付けられ、磁石体を鼻当て部に着脱可能に引っ掛けるようにしている。
【０００８】
磁石体は、フック体により鼻当て部に対して着脱可能になっているので、通常の使用の場合、磁石体を鼻当て部から外しておき、健康指向用の場合、磁石体を鼻当て部に取り付けておくことができる。
すなわち、使用者の必要に応じて一本の眼鏡を通常用と健康指向用とに分けて装着することができる。通常用として眼鏡を装着した場合には、磁石体を鼻当て部から外しているので、眼鏡の重みが増えず軽量であり、初期の良好な着け心地が得られる。
眼鏡を健康指向用として装着した場合には、眼鏡の本来的な機能が得られるのは勿論、磁石体の磁力線を利用することにより、鼻梁部の疾患に対する治癒性の向上をはじめ、鼻梁部の健康改善や健康回復に役立つ。
【０００９】
（請求項２について）
鼻当て部は合成樹脂により細爪状に形成され、弾性体製の金属短線を介してレンズフレームに取り付けられており、磁石体は鼻当て部に対応する薄辺チップ状に形成されている。
この構成により、鼻当て部は、金属短線の弾性変形を伴って鼻梁部に当たるようになり、鼻梁部に対する眼鏡の装着状態がよくなる。磁石体は薄辺チップ状のため、小さくて軽量でありコスト的に有利である。
【００１０】
（請求項３について）
フック体は、逆Ｌ字状に形成された一対のピンを有するクリップである。このため、フック体が簡素な構造となり、省スペース化が図られてコスト的にも有利である。
【００１１】
（請求項４について）
金属短線と鼻当て部とは、取付部により連結されている。フック体は、逆Ｕ字状に曲成されたピンを有するクリップであり、取付部寄りの金属短線に対して係脱可能となるように設けられている。この構成により、請求項３と同様に、フック体が簡素な構造となり、コスト的にも有利である。
【００１２】
（請求項５について）
フック体は、蛇行状に曲成された弾性体からなり、一端部を磁石体に取り付けて、他端部を鼻当て部に着脱可能に引っ掛けるようにしている。
この場合、磁石体が外力を受けると、弾性体が弾性変形して磁石体が鼻当て部に対して接離方向に変位する。これにより、鼻当て部に対する磁石体の離間距離を大小調節できるようになり、眼鏡の使用者によって鼻梁の大きさが異なっても、装着時に鼻梁を磁石体を介して鼻当て部に良好に宛うことができて、使用者に対する眼鏡の汎用性が増す。
【００１３】
（請求項６について）
レンズフレームには、レンズをそれぞれ取り付けている。サイドフレームは、左右のレンズフレームにそれぞれ連結されており、サイドフレームの末端部に耳宛部が設けられている。左右のレンズフレームのうち互いに近接する部分には、装着時に使用者の鼻梁部に宛てがわれる鼻当て部を設けている。磁性紙は、鼻当て部に設けられた底付き小穴の底部に装着されている。磁石辺は、底付き小穴の磁性紙に、鼻当て部の表面と面一となる状態で着脱可能に吸着されている。
これにより、磁石辺が鼻当て部に対して着脱可能となるため、磁石辺が不要な時には、磁石辺を鼻当て部から取り外しておき、必要な時に磁石辺を鼻当て部に取り付けて健康指向用として機能させることができる。
【００１４】
（請求項７について）
レンズフレームには、レンズをそれぞれ取り付けている。サイドフレームは、左右のレンズフレームにそれぞれ連結されており、サイドフレームの末端部に耳宛部が設けられている。左右のレンズフレームのうち互いに近接する部分には、装着時に使用者の鼻梁部に宛てがわれる鼻当て部を設けている。
中敷き辺は貫通状態の小穴を有し、小穴に磁性紙を宛てがった状態で、鼻当て部に取り付けられている。磁石辺は、小穴の磁性紙に、鼻当て部の表面と面一となる状態で着脱可能に吸着される。
これにより、磁石辺が鼻当て部に対して着脱可能となるため、請求項６と同様な効果が得られる。
【図面の簡単な説明】
【００１５】
【図１】通常使用する眼鏡の斜視図である（実施例１）。
【図２】（ａ）はフック体の斜視図、（ｂ）は磁石体の斜視図、（ｃ）はフック体を磁石体に取り付けた状態を示す斜視図、（ｄ）は磁石体をフック体により鼻当て部に引っ掛けた状態を示す斜視図であり（実施例１）、（ｅ）はフック体の斜視図、（ｆ）は磁石体の斜視図、（ｇ）はフック体を磁石体に取り付けた状態を示す斜視図、（ｈ）は磁石体をフック体により鼻当て部に引っ掛けた状態を示す斜視図である（実施例２）。
【図３】（ａ）はフック体の斜視図、（ｂ）は磁石体の斜視図、（ｃ）はフック体を磁石体に取り付けた状態を示す斜視図、（ｄ）は磁石体をフック体により鼻当て部に引っ掛けた状態を示す斜視図であり（実施例３）、（ｅ）はフック体の斜視図、（ｆ）はフック体を磁石体に取り付けた状態を示す斜視図、（ｇ）は磁石体をフック体により鼻当て部に引っ掛けた状態を示す斜視図である（実施例４）。
【図４】（ａ）は弾性体を磁石体に取り付けた状態を示す斜視図、（ｂ）は磁石体を弾性体により鼻当て部に引っ掛けた状態を示す斜視図であり（実施例５）、（ｃ）は曲点を設定した状態の細長Ｕ字形金属線の斜視図、（ｄ）は第１曲点および第２曲点で内方に折り曲げられた状態を示す細長Ｕ字形金属線の斜視図、（ｅ）は細長Ｕ字形金属線を第３曲点および第４曲点で逆方向に折り曲げて形成した弾性体の斜視図、（ｆ）は弾性体を磁石体に取り付けた状態を示す斜視図、（ｇ）は弾性体の他端部に切離部を設けた状態を示す斜視図、（ｈ）は磁石体を弾性体により鼻当て部に引っ掛けた状態を示す斜視図である（実施例６）。
【図５】（ａ）は鼻当て部、磁性紙、中敷き辺および磁石辺の分解斜視図、（ｂ）は磁石辺と鼻当て部を示す斜視図、（ｃ）は磁石辺を磁性紙に吸着させた鼻当て部を示す斜視図である（実施例７）。
【図６】（ａ）は鼻当て部、磁性紙、中敷き辺および磁石辺の分解斜視図、（ｂ）は磁石辺と鼻当て部を示す斜視図、（ｃ）は磁石辺を磁性紙に吸着させた鼻当て部を示す斜視図、（ｄ）は磁石辺を磁性紙から取り外した鼻当て部を示す斜視図である（実施例８）。
【考案を実施するための形態】
【００１６】
本考案では、使用者の必要に応じて一本の眼鏡を通常用と健康指向用とに分けて装着することができる。通常用として眼鏡を装着した場合には、磁石体を鼻当て部から外しているので、眼鏡の重みが増えず軽量であり、初期の良好な着け心地が得られる。眼鏡を健康指向用として装着した場合には、眼鏡の本来的な機能が得られるのは勿論、磁力線の利用により鼻梁部の疾患に対する治癒性の向上をはじめ、鼻梁部の健康改善や健康回復に役立つ。
【実施例】
【００１７】
〔実施例１の構成〕
本考案の実施例１を図１および図２｛（ａ）〜（ｄ）｝に基づいて説明する。
通常用の眼鏡１は、図１に示すように、レンズ２、３をそれぞれ取り付けた左右のレンズフレーム４、５を備えている。左右のレンズフレーム４、５は、架橋部５ａにより連結されており、左のレンズフレーム４は、末端部に耳宛部６を有するサイドフレーム８を連結し、右のレンズフレーム５も末端部に耳宛部７を有するサイドフレーム９を連結している。
【００１８】
左右のレンズフレーム４、５のうち互いに近接する部分には、眼鏡１の使用者の鼻梁部（図示せず）に宛てがわれる左右一対の鼻当て部１０が弾性体製の金属短線１０Ａを介して取り付けられている。
金属短線１０Ａの先端部は、鼻当て部１０の裏側に円盤状の取付部１０Ｂを介して連結されている。取付部１０Ｂは、図１では左側の鼻当て部１０のみに示すが、蝶番機能を有しているため、装着時に鼻当て部１０が使用者の鼻梁部に合致する方向に揺動調節可能となっている。
【００１９】
鼻当て部１０は左右対称に配置され、例えばポリエチレン（ＰＥ）などの合成樹脂により細爪状に形成されている。フック体１１は、後述するように、磁石体１２に取り付けられ、磁石体１２を鼻当て部１０の内面に対して着脱可能に引っ掛けるものである。
【００２０】
すなわち、図２（ｂ）に示す磁石体１２は、例えばネオジウム磁石であり、鼻当て部１０に対応する薄辺チップ状を呈している。フック体１１は、図２（ａ）に示すように、コ字状の基端部１１ａと該基端部１１ａの両端から逆Ｌ字状に垂下する左右一対のピン１１ｂとにより金属製のクリップとして構成されている。
磁石体１２の左右両側には、切欠溝１２ａが設けられており、切欠溝１２ａにフック体１１の基端部１１ａを嵌め込むことにより、図２（ｃ）に示すように、ピン１１ｂが磁石体１２の長手方向Ｍに沿って平行となり、この状態でフック体１１が磁石体１２に固定される。
【００２１】
図２（ｄ）に示すように、フック体１１のピン１１ｂを鼻当て部１０の左右の肩部１０ｃに引っ掛けることにより、ピン１１ｂが鼻当て部１０に着脱可能に係止し、磁石体１２が鼻当て部１０の表面に面接触状態で重なるように取り付けられる。  
フック体１１を上方Ｆに引き上げると、ピン１１ｂが鼻当て部１０から抜き出て、フック体１１が鼻当て部１０から取り外される。
【００２２】
上記構成の磁石体１２は、フック体１１により鼻当て部１０に対して着脱可能になっているので、通常の使用の場合には、磁石体１２を鼻当て部１０から外しておき、健康指向用の場合には、磁石体１２を鼻当て部１０に取り付けておくことができる。
【００２３】
すなわち、使用者の必要に応じて一本の眼鏡１を通常用と健康指向用とに分けて装着することができる。眼鏡１を通常用として装着した場合には、磁石体１２を鼻当て部１０から外しているので、眼鏡１の重みが増えず軽量であって、初期の良好な着け心地が得られる。
眼鏡１を健康指向用として装着した場合には、眼鏡１の本来的な機能が得られるのは勿論、磁石体１２の磁力線を利用することにより、鼻梁部の疾患に対する治癒性の向上をはじめ、鼻梁部の健康改善や健康回復に役立つ。
【００２４】
鼻当て部１０は細爪状であり、金属短線１０Ａを介してレンズフレーム４、５に取り付けているため、鼻当て部１０は、金属短線１０Ａの弾性変形を伴って鼻梁部に当たるようになり、鼻梁部に対する眼鏡１の装着状態がよくなる。磁石体１２は薄辺チップ状のため、小さくて軽量でありコスト的に有利である。
【００２５】
フック体１１は、逆Ｌ字状に形成された一対のピン１１ｂを有するため、フック体１１が簡素な構造となり、省スペース化が図られてコスト的にも有利である。
【００２６】
〔実施例２〕
図２｛（ｅ）〜（ｈ）｝は本考案の実施例２を示す。実施例２が実施例１と異なるところは、図２（ｅ）に示すように、フック体１１を左右一対のコ字状線部１１ｚと逆Ｕ字状のピン１１ｄとから構成したことである。
【００２７】
フック体１１におけるコ字状線部１１ｚは、左右に対称となるように配置され、互いに対応する一端部１１ｙとピン１１ｄの下端１１ｖとを中間位置で連結した連続曲線体として構成されている。
磁石体１２には、切欠溝１２ａが形成されているため｛図２（ｆ）参照｝、図２（ｇ）に示すように、コ字状線部１１ｚを磁石体１２の切欠溝１２ａに嵌め込むことにより、ピン１１ｄが磁石体１２の裏面に平行となった状態で、フック体１１が磁石体１２に取り付けられる。
【００２８】
図２（ｈ）に示すように、フック体１１のピン１１ｄを取付部１０Ｂ寄りの金属短線１０Ａに引っ掛けることにより、ピン１１ｂが金属短線１０Ａに対して係脱可能に係合し、磁石体１２が鼻当て部１０の表面に面接触状態で重なるように取り付けられる。  
実施例２でも実施例１と同様な効果が得られる他、フック体１１が簡素な構造となり、コスト的にも有利である。
【００２９】
〔実施例３〕
図３｛（ａ）〜（ｄ）｝は本考案の実施例３を示す。実施例３が実施例１と異なるところは、図３（ａ）に示すように、フック体１１が端部に短辺部１１ｅを設けたコ字状の帯辺部１１ｆから成ることである。
【００３０】
帯辺部１１ｆは、中央部に円弧状の切欠部１１ｇを有し、左右に端辺部１１Ｆを設けている。磁石体１２には、切欠溝１２ａが形成されているため｛図３（ｂ）参照｝、切欠溝１２ａに帯辺部１１ｆの端辺部１１Ｆを嵌め込むことにより、図３（ｃ）に示すように、フック体１１が磁石体１２に所定の間隙Ｇを余して取り付けられる。
【００３１】
図３（ｄ）に示すように、フック体１１の帯辺部１１ｆを鼻当て部１０の肩部１０ｃに差し入れて切欠部１１ｇを取付部１０Ｂ寄りの金属短線１０Ａに係合させることにより、磁石体１２が鼻当て部１０の表面に面接触状態で重なるように取り付けられる。  
実施例３でも実施例１と同様な効果が得られる他、フック体１１が簡素な構造となり、コスト的にも有利である。
【００３２】
〔実施例４〕
図３｛（ｅ）〜（ｇ）｝は本考案の実施例４を示す。実施例４が実施例１と異なるところは、磁石体１２の切欠溝１２ａを省略して、図３（ｅ）に示すように、フック体１１を互いに左右対称となる一対の折曲辺１１ｈから構成したことである。
折曲辺１１ｈは、垂辺部１１ｈ１と平辺部１１ｈ２とから成るアングル状のもので、図３（ｆ）に示すように、垂辺部１１ｈ１の端部が磁石体１２の平坦部に埋設固定され、平辺部１１ｈ２同士が所定の間隔Ｈを介して対向するように配置されている。  
【００３３】
この場合、鼻当て部１０は、図３（ｇ）に示すように、上端部を幅狭部１０ｅとし、下端部を幅広部１０ｆとする縦長三角状に形成され、幅狭部１０ｅと幅広部１０ｆとの途中領域を中間部分１０ｎとしている。中間部分１０ｎの幅寸法Ｔは、垂辺部１１ｈ１の離間間隔Ｎに見合った長さに設定されている｛図３（ｆ）、（ｇ）参照｝。
【００３４】
磁石体１２を取り付けるにあたっては、折曲辺１１ｈを鼻当て部１０に対して幅狭部１０ｅから幅広部１０ｆに向かって差し入れる。これにより、折曲辺１１ｈが中間部分１０ｎに圧接する状態で引っ掛かり、磁石体１２が鼻当て部１０の表面に面接触状態で重なるように取り付けられる。  
実施例４でも実施例１と同様な効果が得られる他、フック体１１が簡素な構造となり、コスト的にも有利である。
【００３５】
〔実施例５〕
図４｛（ａ）、（ｂ）｝は本考案の実施例５を示す。実施例５が実施例１と異なるところは、図４（ａ）に示すように、フック体１１を細帯状の弾性体１１ｊから構成したことである。
弾性体１１ｊは蛇行状に曲成されて、一端部１１ｍ、中間部１１ｎおよび他端部１１ｐから成る連続曲面体を構成する。弾性体１１ｊの一端部１１ｍは磁石体１２に取り付けられ、他端部１１ｐは二股状に分岐するフォーク部１１ｋを形成している。
【００３６】
磁石体１２を取り付けるにあたっては、図４（ｂ）に示すように、弾性体１１ｊのフォーク部１１ｋを鼻当て部１０の裏側から取付部１０Ｂ寄りの金属短線１０Ａに係合させる。これにより、磁石体１２が鼻当て部１０に着脱可能に引っ掛けられて、弾性体１１ｊの中間部１１ｎを介して鼻当て部１０の表面側と対向する。
【００３７】
この状態で、磁石体１２が外力Ｖｐを受けると、中間部１１ｎが両端部で弾性変形して磁石体１２が鼻当て部１０に対して接離方向Ｖｓに変位する。
このため、鼻当て部１０に対する磁石体１２の離間距離を大小調節できるようになり、眼鏡１の使用者によって鼻梁の大きさが異なっても、装着時に鼻梁を磁石体１２を介して鼻当て部１０に良好に宛てがうことができて、使用者に対する眼鏡１の汎用性が増す。
【００３８】
〔実施例６〕
図４｛（ｃ）〜（ｈ）｝は本考案の実施例６を示す。実施例６が実施例５と異なるところは、図４｛（ｃ）〜（ｅ）｝に示すように、フック体１１が細長Ｕ字形金属線１１ｑにより蛇行状に曲成された弾性体１１ｒから成ることである。
【００３９】
弾性体１１ｒを曲成するには、先ず細長Ｕ字形金属線１１ｑに第１曲点ａ１〜第４曲点ａ４を設定しておき｛図４（ｃ）参照｝、細長Ｕ字形金属線１１ｑを第１曲点ａ１および第２曲点ａ２で内方に折り曲げ｛図４（ｄ）参照｝、ついで、細長Ｕ字形金属線１１ｑを第３曲点ａ３および第４曲点ａ４で、前述の第１曲点ａ１および第２曲点ａ２とは逆となる外方向に折り曲げる｛図４（ｅ）参照｝。
【００４０】
これにより、弾性体１１ｒは、一端部１１ｓ、中間部１１ｔおよび他端部１１ｕから成る連続曲線体を構成する。図４（ｆ）に示すように、弾性体１１ｒの一端部１１ｓは磁石体１２に取り付けられ、他端部１１ｕは磁石体１２の裏面と平行になるように配置されている。他端部１１ｕの先端部は、図４（ｇ）に示すように、金属短線１０Ａへの出入口として機能する切離部１１ｗを設けている。
【００４１】
磁石体１２を取り付けるにあたっては、図４（ｈ）に示すように、弾性体１１ｒの切離部１１ｗを取付部１０Ｂ寄りの金属短線１０Ａに差し入れて通過させ、他端部１１ｕを鼻当て部１０の両肩部１０ｃに係合させる。これにより、磁石体１２が鼻当て部１０に着脱可能に引っ掛けられて、中間部１１ｔを介して鼻当て部１０の表面側と対応する。
【００４２】
実施例６でも、磁石体１２が外力Ｖｐを受けると、中間部１１ｔが両端部で弾性変形して磁石体１２が鼻当て部１０に対して接離方向Ｖｓに変位するため、実施例５と同様な効果が得られる。
【００４３】
〔実施例７〕
図５は本考案の実施例７を示す。実施例７が実施例１と異なるところは、実施例１のフック体１１および磁石体１２に代わって、底付き小穴２０を鼻当て部１０に設け、底付き小穴２０の底部に磁性紙２１を装着したことである｛図５（ａ）、（ｂ）参照｝。
【００４４】
磁石辺２２は、図５（ｃ）に示すように、底付き小穴２０への挿入時、磁性紙２１に吸着され、鼻当て部１０の表面と面一となる状態に取り付けられる。また、図５（ｄ）に示すように、磁性棒などの金属部材２２ａを磁石辺２２に近接させることにより、磁性材製の金属部材２２ａに磁石辺２２を吸着させて底付き小穴２０から外部に取り出すことができる。
【００４５】
これにより、実施例７でも磁石辺２２が鼻当て部１０に対して着脱可能となるため、磁石辺２２が不要な時には、磁石辺２２を鼻当て部１０から取り外しておき、必要な時に磁石辺２２を鼻当て部１０に取り付けて健康指向用として機能させることができる。
なお、底付き小穴２０および磁石辺２２の形状は、円形に限らず三角、方形、矩形あるいは五角形や六角形などの多角形でもよい。後述する実施例８の小穴２４ａおよび磁石辺２５についても同様である。
【００４６】
〔実施例８〕
図６は本考案の実施例８を示す。実施例８が実施例１と異なるところは、実施例１のフック体１１および磁石体１２に代わって、磁性紙２３および肉薄な中敷き辺２４および磁石辺２５を設けたことである｛図６（ａ）参照｝。      
【００４７】
中敷き辺２４は、貫通状に形成した小穴２４ａに磁性紙２３を裏側から宛てがった状態で、鼻当て部１０の表面に接着剤などの固定手段（図示せず）により取り付けられている｛図６（ｂ）参照｝。磁石辺２５は、図６（ｃ）に示すように、小穴２４ａへの挿入により磁性紙２３に吸着され、鼻当て部１０の表面と面一となる状態に取り付けられる。また、磁石辺２５を小穴２４ａから外部に取り出すには、実施例７で用いた金属部材２２ａを使えばよい。
これにより、実施例８でも、磁石辺２５が鼻当て部１０に対して着脱可能となるため、磁石辺２５が不要な時には、磁石辺２５を鼻当て部１０から取り外しておき、必要な時に磁石辺２５を鼻当て部１０に取り付けて健康指向用として機能させることができる。
【００４８】
〔変形例〕
（ａ）実施例１では、フック体１１は、金属製のクリップとして構成したが、フック体１１の金属としてはステンレス鋼、アルミニウム、軟鋼、鉄、銅あるいは真鍮などであってもよい。
（ｂ）また、フック体１１は、金属の代わりに、ポリエチレン（ＰＥ）などの合成樹脂により形成してもよい。フック体１１の合成樹脂としては、ポリエチレン（ＰＥ）の他、ポリプロピレン（ＰＰ）、ポリカーボネイト（ＰＣ）、ポリブチレンテレフタレート（ＰＢＴＦ）あるいはポリプロエチレン（ＰＰＥ）などのエンジニアリングプラスチックであってもよい。
【００４９】
（ｃ）磁石体１２は鼻当て部１０の内面に取り付けたが、鼻当て部１０のうち取付部１０Ｂが存する外面側に取り付けてもよい。
（ｄ）磁石体１２としてネオジウム磁石を用いたが、ネオジウム磁石に代わって、ＫＳ鋼、ＭＫ鋼、アルニコ磁石、フェライト磁石、サマリウムコバルト磁石、あるいは磁石と磁性体とを組み合わせた複合磁石を用いてもよい。実施例７、８における磁石辺２２、２５についても同様である。
（ｅ）実施例７における底付き小穴２０や磁石辺２２の個数は、単一に限らず複数であってもよい。実施例８における小穴２４ａや磁石辺２５についても同様である。また、実施例７、８における磁性紙２１、２３は、鋼製薄辺や鉄粉を貼着した薄紙でもよい。
【産業上の利用可能性】
【００５０】
本考案では、使用者の必要に応じて一本の眼鏡を通常用と健康指向用とに分けて装着することができる。通常用として眼鏡を装着した場合、磁石体を鼻当て部から外しているので、眼鏡の重みが増えず軽量であって、初期の良好な着け心地が得られる。眼鏡を健康指向用として装着した場合、眼鏡の本来的な機能が得られるのは勿論、磁石体の磁力線の利用により鼻梁部の疾患に対する治癒性の向上をはじめ、鼻梁部の健康改善や健康回復に役立つ。このため、眼鏡に関する製造業界の需要を喚起し、関連部品の流通を介して機械産業に適用することができる。
【符号の説明】
【００５１】
１          眼鏡
２、３      レンズ
４、５      レンズフレーム
６、７      耳宛部
８、９      サイドフレーム
１０        鼻当て部
１０Ａ      金属短線
１０Ｂ      取付部
１１        フック体（クリップ）
１１ｂ      一対のピン
１１ｄ      逆Ｕ字状のピン
１１ｊ、１１ｒ  蛇行状に曲成された弾性体
１２        磁石体
２０        底付き小穴
２１、２３    磁性紙
２２、２５    磁石辺
２４        中敷き辺
２４ａ      小穴
【図１】
0003161871.tif 000003
【図２】
0003161871.tif 000004
【図３】
0003161871.tif 000005
【図４】
0003161871.tif 000006
【図５】
0003161871.tif 000007
【図６】
0003161871.tif 000008